(57)【要約】【課題】本発明は、移動先の情報を提供する情報提供プログラムを記録した記録媒体および情報提供方法に関し、移動先と現在時刻から算出した到着予定時刻に関連する１次情報および詳細情報へのアクセス情報を取り出して媒体に記録し、利用者は必要に応じて媒体から１次情報を参照、更にアクセス情報をもとに詳細情報を参照して移動先の情報を効率的に提供を受けることを目的とする。【解決手段】利用者から移動先が指定されたときに現在位置、現在時刻から当該移動先への到着予測時間を算出するステップと、移動先と到着予測時間をもとにデータベースから当該移動先における到着予測時間に関連する概略の情報である１次情報および必要に応じて詳細情報へのアクセス情報を抽出するステップと、抽出した１次情報およびアクセス情報を媒体に書き込むステップと、利用者が媒体を持参して必要に応じて媒体から１次情報を読み出して表示および更にアクセス情報を読み出して詳細情報を参照するステップとを有する。【選択図】　図１
2004110737.tif 000002
【特許請求の範囲】
【請求項１】
移動先の情報を提供する情報提供プログラムを記録した記録媒体において、
利用者から移動先が指定されたときに現在位置、現在時刻から当該移動先への到着予測時間を算出するステップと、
前記移動先と到着予測時間をもとにデータベースから当該移動先における到着予測時間に関連する概略の情報である１次情報および必要に応じて詳細情報へのアクセス情報を抽出するステップと、
前記抽出した１次情報およびアクセス情報を媒体に書き込むステップと、
利用者が前記媒体を持参して必要に応じて当該媒体から前記１次情報を読み出して表示および更にアクセス情報を読み出して該当詳細情報を参照するステップと
して機能させるプログラムを記録したコンピュータ読取可能な記録媒体。
【請求項２】
前記媒体が切符、クーポン券、定期券のいずれかであることを特徴とする請求項１記載の記録媒体。
【請求項３】
前記アクセス情報が、詳細情報を保存したアドレスあるいはＵＲＬあるいは電話番号であることを特徴とする請求項１記載の記録媒体。
【請求項４】
移動先の情報を提供する情報提供方法において、
利用者から移動先が指定されたときに現在位置、現在時刻から当該移動先への到着予測時間を算出するステップと、
前記移動先と到着予測時間をもとにデータベースから当該移動先における到着予測時間に関連する概略の情報である１次情報および必要に応じて詳細情報へのアクセス情報を抽出するステップと、
前記抽出した１次情報およびアクセス情報を媒体に書き込むステップと、
利用者が前記媒体を持参して必要に応じて当該媒体から前記１次情報を読み出して表示および更にアクセス情報を読み出して該当詳細情報を参照するステップと
を有する情報提供方法。
【請求項５】
移動先の情報を提供する情報提供プログラムにおいて、
コンピュータに、
利用者から移動先が指定されたときに現在位置、現在時刻から当該移動先への到着予測時間を算出するステップと、
前記移動先と到着予測時間をもとにデータベースから当該移動先における到着予測時間に関連する概略の情報である１次情報および必要に応じて詳細情報へのアクセス情報を抽出するステップと、
前記抽出した１次情報およびアクセス情報を媒体に書き込むステップと、
利用者が前記媒体を持参して必要に応じて当該媒体から前記１次情報を読み出して表示および更にアクセス情報を読み出して該当詳細情報を参照するステップと
して実行させる情報提供プログラム。
【発明の詳細な説明】
【０００１】
【発明の属する技術分野】
本発明は、移動先の情報を提供する情報提供方法、情報提供プログラム、および記録媒体に関するものである。
【０００２】
【従来の技術】
従来、電車などの交通機関を利用して移動する際に、利用者が移動先に関する情報を事前に入手するには、例えば移動に必要な切符を購入する場合などの動作とは別に、携帯端末などを用いて移動先に関する情報を調べたり、観光案内所などに電話して聞いたりなどしていた。
【０００３】
【発明が解決しようとする課題】
このため、携帯端末などを持ち合わせていなかったり、取い合わせ先が不明であったりし、移動先に関する情報を事前に入手することが困難であるという問題がある。
【０００４】
本発明は、これらの問題を解決するため、利用者が移動しようとする際に、当該移動先と現在時刻から算出した到着予測時刻に関連する１次情報および詳細情報へのアクセス情報を取り出して媒体に記録し、利用者は必要に応じて媒体から１次情報を参照、更にアクセス情報をもとに詳細情報を参照して移動先の情報を効率的に提供することを目的としている。
【０００５】
【課題を解決するための手段】
図１を参照して課題を解決するための手段を説明する。
【０００６】
図１において、発券機１は、切符などを発券するものであって、ここでは、到着予測時間算出手段１１、および情報取得手段１３などから構成されるものである。
【０００７】
到着予測時間算出手段１１は、移動先、現在時刻をもとに当該移動先に到着する到着予測時間を算出するものである。
【０００８】
情報取得手段１３は、移動先と到着予測時間をもとにデータベースから移動先における到着予測時間に関連する概略の情報である１次情報および詳細情報へのアクセス情報を抽出するものである。
【０００９】
媒体４は、１次情報やアクセス情報などを記録するものである。
利用者９は、移動先を指定して切符などを購入したり、切符などの媒体に書き込まれた１次情報およびアクセス情報をもとに移動先に関連する情報およびその詳細情報の参照などの提供を受けたりなどするものである。
【００１０】
次に、動作を説明する。
発券機１を構成する到着予測時間算手段１１が利用者９から移動先が指定されると、現在位置、現在時刻から移動先への到着予測時間を算出し、情報取得手段１３が移動先と到着予測時間をもとにデータベースから移動先における到着予測時間に関連する概略の情報である１次情報および詳細情報へのアクセス情報を抽出し、抽出した１次情報およびアクセス情報を媒体に書き込み、利用者９が媒体４を持参して必要に応じて当該媒体４から１次情報を読み出して表示および更にアクセス情報を読み出して詳細情報を参照するスようにしている。
【００１１】
この際、媒体である切符、クーポン券、定期券のいずれかに１次情報およびアクセス情報を書き込み、利用者が必要に応じて読み出して１次情報を表示あるいはアクセス情報をもとに詳細情報を読み出して表示したりするようにしている。
【００１２】
また、アクセス情報として、詳細情報を保存したアドレスあるいはＵＲＬあるいは電話番号とするようにしている。
【００１３】
従って、利用者９が移動しようとする際に、移動先と現在時刻から算出した到着予測時間に関連する１次情報および詳細情報へのアクセス情報を取り出して媒体４に記録し、利用者は必要に応じて媒体４から１次情報を参照したり、更にアクセス情報をもとに詳細情報を参照したりし、移動先の情報を効率的に提供することが可能となる。
【００１４】
【発明の実施の形態】
次に、図１から図５を用いて本発明の実施の形態および動作を順次詳細に説明する。
【００１５】
図１は、本発明のシステム構成図を示す。
図１において、発券機１は、切符などを発券したするものであって、ここでは、到着予測時間算出手段１１、経路情報取得手段１２、および情報取得手段１３などから構成されるものである。
【００１６】
到着予測時間算出手段１１は、利用者が発券機１で切符などを購入しようとして移動先（行先）を指定したことに対応して、現在時刻をもとに当該移動先に到着する到着予測時間を算出するものである。
【００１７】
経路情報取得手段１２は、利用者により指定された行先（移動先）への経路を図示外の電子地図データベースなどに依頼して取得したりなどするものである。
【００１８】
情報取得手段１３は、移動先と到着予測時間をもとにデータベースから移動先における到着予測時間に関連する概略の情報である１次情報および詳細情報へのアクセス情報を検索して取り出すものである。
【００１９】
１次情報ＤＢ２は、１次情報を登録したデータベースであって、例えば後述する図４の１次情報ＤＢ２であり、移動先、到着予測時間に対応づけて１次情報、更に、２次情報へのアクセス情報（アドレス、ＵＲＬ、電話番号など）を登録したものである。
【００２０】
２次（詳細）情報ＤＢ３は、アクセス情報に対応づけて詳細情報を登録したものである。
【００２１】
媒体４は、切符、クーポンなどの媒体であって、ここでは、行先（移動先）への到着予測時間、１次情報および詳細情報へのアクセス情報を書き込んだものである。
【００２２】
情報表示端末５は、利用者９が媒体４を挿入し、当該媒体４に記録されている行先（移動先）と到着予測時間に関連する１次情報および詳細な２次情報へのアクセス情報を読み出して表示したり、アクセス情報に従い該当するＷＷＷサーバにアクセスしてその頁の詳細情報を表示させたりなどするものであって、例えばキオスク端末や利用者が保持する携帯端末、ＰＤＡなどの端末である。情報表示端末５は、ここでは、詳細情報取得手段５１などから構成されるものである。
【００２３】
詳細情報取得手段５１は、挿入された媒体４から読み取ったアクセス情報をもとに該当する２次情報ＤＢ３にアクセスし、２次（詳細）情報を取得するものである。
【００２４】
ネットワーク６，７は、発券機１，１次情報ＤＢ２、２次情報ＤＢ３、情報表示端末５などどを接続し、データの送受信を行うためのネットワークである。
【００２５】
電波メディア等８は、情報表示端末５が無線で他のネットワークに接続し、図示外の２次情報ＤＢから詳細情報を取り込んで表示したりするためのものである。
【００２６】
利用者９は、行先（移動先）を指定して切符などの媒体４を購入したり、当該媒体４に記録されている、行先（移動先）の到着予測時間に関連する情報（１次情報）や更に、アクセス情報に従い該当サーバをアクセスして詳細情報を取得して表示させて、有用な情報を認識するものである。
【００２７】
次に、図２のフローチャートの順番に従い、図１の構成の動作を詳細に説明する。
【００２８】
図２は、本発明の動作説明フローチャートを示す。
図２において、Ｓ１は、利用者が行先を指定する。これは、図１で利用者９が発券機１を操作し、行先を指定（例えば行先の駅のボタンを押下）する。
【００２９】
Ｓ２は、到着予測時間を算出する。これは、Ｓ１で利用者が行先を指定したことに対応して、到着予測時間算出手段１１が現在の発券機１の場所から指定された行先への必要な時間を算出し、現時間に加算して到着予測時間を算出する。
【００３０】
Ｓ３は、１次情報を取得する。これは、Ｓ２で算出した到着予測時間と、行先とをもとに、右側に記載した
・経路情報（出発〜目的地）
・案内情報：
・事故情報
・駅改修情報
・到着地の案内情報
・買い物情報
・店情報
などのうちの該当する情報を１次情報として取得する。例えば、後述する図４の１次情報ＤＢ２を検索し、該当する移動先（行先）の該当到着予測時間に該当する１次情報を取り出して取得する。例えば移動先が「東京」であり、到着予測時間が「〜９：００」であり、そのときの気象条件が「雨」であった場合には、１次情報として、図４の▲１▼のエントリの「傘が入用ならＦ雑貨商店へ」を取得する。
【００３１】
Ｓ４は、２次情報へのアクセス情報を取得する。これは、Ｓ３で取得した１次情報に加えて、更に詳細な情報を取得するためのアクセス情報として右側に記載した
・２次情報取得へのアクセス情報
・ＵＲＬ
・ＴＶ，ラジオチャンネル
・電話番号等
などのうちの該当する情報をアクセス情報として取得する。例えば、後述する図４の１次情報ＤＢ２中の▲１▼のエントリの、２次情報へのアクセス情報
「ｆｔｔｐ：／／ｗｗｗ．ｆｚａｋｋａ．ＸＸＸ（ＵＲＬ，電話番号等）
を取得する。
【００３２】
Ｓ５は、媒体への書込みする。これは、Ｓ３で取得した１次情報およびＳ４で取得した２次情報へのアクセス情報を、媒体４に書き込む。
【００３３】
Ｓ６は、１次情報を参照する。これは、利用者が媒体４を情報表示端末５に挿入し、媒体４から１次情報を読み出して表示、例えば行先（移動先）の到着予測時間に関連する情報を表示し、認識する。
【００３４】
Ｓ７は、２次情報へのアクセスを行う。これは、Ｓ６で媒体４から読み出した１次情報に合わせて２次情報へのアクセス情報をもとに、当該アクセス情報の例えばＵＲＬのホームページにアクセスして当該頁の内容を表示させ、行先への到着予測時間に関連する詳細な情報を表示させ、利用者が認識する。
【００３５】
Ｓ８は、搭乗する。これは、利用者が媒体４を改札機に通したり、あるいは利用者が定期券を改札口を通したりし、電車などに搭乗する。
【００３６】
Ｓ９は、媒体を回収要か判別する。これは、利用者が行先（移動先）の駅で降車して媒体４を改札機に挿入したので、媒体４を回収する必要があるか判別する。ＹＥＳの場合には、媒体４が切符などで回収する必要が有りと判明したので、Ｓ１０で降車（切符搭乗券を回収）する。一方、ＮＯの場合には、定期券と判明したので、回収することなく降車し、定期券の利用者は、情報表示端末５に入力して当該降車した行先（移動先）の１次情報を参照したり、更に、Ｓ１２で２次情報へのアクセスを行い詳細情報を参照したりすることが可能となる。
【００３７】
以上のように、利用者９が行先（移動先）を指定して切符などを購入すると、発券機１が行先をもとに到着予測時間を算出し、移動先の到着予測時間かつ気象条件などの付加条件に合致する、１次情報を１次情報ＤＢ２から検索し取り出すと共に、詳細情報へのアクセス情報を取り出し、これら１次情報およびアクセス情報を媒体４に書き込み、利用者９は媒体４から１次情報を読み出して表示したり、更に、アクセス情報をもとにアクセスして詳細情報を表示したりし、行先の時間帯、付加情報（例えば気象状況の晴れ、曇り、雨などの情報）に最適な情報を抽出して利用者９に提供することが可能となる。
【００３８】
図３は、本発明の移動先／到着予測時間テーブル例を示す。これは、利用者９が行先（移動先）を指定したときに、現場所（媒体４の発行・管理場所）から行先（移動先）への到着予測時間を算出して設定したものであって、ここでは、図示の下記の情報を対応づけて設定するものである。
【００３９】
・発行・管理場所（現在地もしくは出発予測地）：
・移動先（行先）：
・発行・管理時間（現在時間もしくは出発予測時間）：
・到着予測時間（出発地と移動先間の情報と現在時間から算出）：
・その他：
ここで、発行・管理場所は媒体４を発行する場所である。移動先（行先）は利用者９が指定した行先（移動先）である。発行・管理時間は、媒体４を発行した現時間あるいは利用者９が使用する交通機関の出発予測時間である。到着予測時間は現地点から行先（移動先）への所要時間を、現時刻（あるいは出発予測時間）に加算した時間である。
【００４０】
図４は、本発明の１次情報ＤＢ例を示す。図示の１次情報ＤＢ２は、図示の下記の情報を対応づけて登録したものである。
【００４１】
・移動先（地域）：
・到着予測時間：
・気象情報等の付加条件：
・１次情報：
・２次情報へのアクセス情報：
・その他：
ここで、移動先（地域）は利用者９が指定した行先（移動先）である。到着予測時間は現地点から移動先への到着予測時間である。気象情報等の付加情報は、「行先」かつ「到着予測時間」かつ「付加情報」で最適となる、１次情報を登録したものであって、例えば付加情報が気象情報の場合には、
付加情報（気象情報）　　　　　　　　１次情報：
晴れ　　　　　　の場合には、日傘ならＦ雑貨商店へ
曇り　　　　　　の場合には、カバンならＦ雑貨商店へ
雨　　　　　　　の場合には、傘が入用ならＦ雑貨商店へ
というように、付加情報、ここでは、気象情報に最適な１次情報を登録し、付加情報に最適な１次情報を取り出して媒体４に書き込む。
【００４２】
また、２次情報へのアクセス情報は、媒体４には書き込めない詳細な情報を登録したアクセス情報（例えばＵＲＬ，アドレス、電話番号、ＴＶ番組など）を登録したものである。
【００４３】
次に、図５を用いて本発明の１実施例を説明する。
図５は、本発明の１実施例構成図を示す。
【００４４】
図５において、情報提供システム２１は、情報提供者２０からの情報を登録するものであって、ここでは、１次情報ＤＢシステム２２、到着予測時間算出／１次情報取得プロセス２４、および媒体記録システム２６などから構成されるものである。
【００４５】
１次情報ＤＢシステム２２は、情報提供者２０から提供を受けた１次情報を１次情報ＤＢ２に登録するものである。
【００４６】
１次情報ＤＢ２は、既述した図４の移動先、到着予測時間、気象情報等の付加条件、１次情報、２次情報へのアクセス情報を登録するものである。
【００４７】
到着予測時間算出／１次情報取得プロセス２４は、利用者９の指定した行先をもとに算出した所要時間を現時間（あるいは出発時間）に加算して到着予測時間を算出したり、当該算出した到着予測時間、行先、更に、付加情報（例えば行先の気象情報）に合致した１次情報を、１次情報ＤＢ２から取得したりなどするものである。
【００４８】
媒体記録システム２６は、移動先（行先）、到着予測時間、１次情報、２次情報へのアクセス情報などを媒体４に記録するものであって、ここでは、自動発券機／自動改札機２７などから構成されるものである。
【００４９】
自動発券機／自動改札機２７は、利用者９が行先（移動先）を指定すると媒体（例えば切符）４を発券および既述した到着予測時間、１次情報、アクセス情報などの情報を記録したりなどするものである。
【００５０】
２次情報登録処理３１は、情報提供者２０から提供された２次情報を２次情報ＤＢ３に登録するものである。
【００５１】
２次情報ＤＢ３は、２次情報へのアクセス情報をもとに参照するものであって、アクセス情報である、ＵＲＬ，アドレス、電話番号で１次情報の詳細情報を参照可能にしたものである。
【００５２】
情報表示端末５は、詳細情報取得手段５１および表示装置５２などから構成されるものである。
【００５３】
詳細情報取得手段５１は、既述したように、媒体４に記録されている２次情報へのアクセス情報（ＵＲＬ，アドレス、電話番号等）をもとに２次情報ＤＢ３
から詳細情報を取得するものである。
【００５４】
表示装置５２は、媒体４から読み出した１次情報を表示、音声発声したり、更に、２次情報へのアクセス情報をもとに２次情報ＤＢ３から読み出した詳細情報（２次情報）を表示、音声発声したりなどするものである。
【００５５】
次に、図５の動作を説明する。
（１）　情報提供者５０が１次情報を提供すると、情報提供システム２１が１次情報ＤＢ２に既述した図４の１次情報ＤＢ２に示すように登録する。また、１次情報ＤＢ２に、媒体４に直接に記録不可の詳細情報（２次情報）へのアクセス情報（ＵＲＬ、アドレス、電話番号など）を合わせて１次情報ＤＢ２に登録する。また、情報提供者２０から提供された２次情報は２次情報ＤＢ３に、アクセス情報（ＵＲＬ、アドレス、電話番号など）に対応づけて登録する。
【００５６】
（２）　利用者９が自動発券機などに行先を指定して購入を指定すると、行先（移動先）までの所要時間を算出して現時間（あるいは出発時間）に加算して到着予測時間を算出し、行先（移動先）、到着予測時間、更に、付加情報である気象条件に合致する１次情報および２次情報へのアクセス情報を、１次情報ＤＢ２から検索して取得する。
【００５７】
（３）　（２）で取得した１次情報およびアクセス情報を媒体４に記録し、利用者９に渡す
（４）　利用者９が情報表示端末５に媒体４を挿入すると、媒体４から読み出した１次情報を表示し、更に、読み出した２次情報へのアクセス情報をもとに２次情報ＤＢ３から２次情報（詳細情報）を取り出し、画面上に表示したり、音声で発声したりし、行先（移動先）で有用な情報を効率的に取り出して利用者９に提示することが可能となる。
【００５８】
尚、本願発明で使用される、
・１次情報には、
・行先（移動先）の到着したときの２次情報の概略
・行先地の周辺情報
・買い物情報
・店情報（レストラン、銀行など）
・２次情報には、
・ＵＲＬによりアクセスするｗｗｗページに掲載されるクーポン券、地図情報、案内情報など
・チャンネルにより視聴するＴＶの番組など
・電話番号により音声などで聞く、案内窓口など
・媒体には、
・切符があり、表が乗車券、裏が１次情報など、あるいは１枚目が乗車券で２枚目が特急券、３枚目が１次情報などを記録する
・定期券があり、裏面などに１次情報などを記録する
・表示端末があり、画面に乗車券、１次情報などを記録する
・ＩＣカードがあり、乗車券、１次情報などを記録する
がある。
【００５９】
（付記１）
移動先の情報を提供する情報提供プログラムを記録した記録媒体において、
利用者から移動先が指定されたときに現在位置、現在時刻から当該移動先への到着予測時間を算出するステップと、
前記移動先と到着予測時間をもとにデータベースから当該移動先における到着予測時間に関連する概略の情報である１次情報および必要に応じて詳細情報へのアクセス情報を抽出するステップと、
前記抽出した１次情報およびアクセス情報を媒体に書き込むステップと、
利用者が前記媒体を持参して必要に応じて当該媒体から前記１次情報を読み出して表示および更にアクセス情報を読み出して該当詳細情報を参照するステップと
して機能させるプログラムを記録したコンピュータ読取可能な記録媒体。
【００６０】
（付記２）
前記媒体が切符、クーポン券、定期券のいずれかであることを特徴とする付記１記載の記録媒体。
【００６１】
（付記３）
前記アクセス情報が、詳細情報を保存したアドレスあるいはＵＲＬあるいは電話番号であることを特徴とする付記１記載の記録媒体。
【００６２】
（付記４）
移動先の情報を提供する情報提供方法において、
利用者から移動先が指定されたときに現在位置、現在時刻から当該移動先への到着予測時間を算出するステップと、
前記移動先と到着予測時間をもとにデータベースから当該移動先における到着予測時間に関連する概略の情報である１次情報および必要に応じて詳細情報へのアクセス情報を抽出するステップと、
前記抽出した１次情報およびアクセス情報を媒体に書き込むステップと、
利用者が前記媒体を持参して必要に応じて当該媒体から前記１次情報を読み出して表示および更にアクセス情報を読み出して該当詳細情報を参照するステップと
を有する情報提供方法。
【００６３】
（付記５）
移動先の情報を提供する情報提供プログラムにおいて、
コンピュータに、
利用者から移動先が指定されたときに現在位置、現在時刻から当該移動先への到着予測時間を算出するステップと、
前記移動先と到着予測時間をもとにデータベースから当該移動先における到着予測時間に関連する概略の情報である１次情報および必要に応じて詳細情報へのアクセス情報を抽出するステップと、
前記抽出した１次情報およびアクセス情報を媒体に書き込むステップと、
利用者が前記媒体を持参して必要に応じて当該媒体から前記１次情報を読み出して表示および更にアクセス情報を読み出して該当詳細情報を参照するステップと
して実行させる情報提供プログラム。
【００６４】
（付記６）
移動先の情報を提供する情報提供装置において、
利用者から移動先が指定されたときに現在位置、現在時刻から当該移動先への到着予測時間を算出する手段と、
前記移動先と到着予測時間をもとにデータベースから当該移動先における到着予測時間に関連する概略の情報である１次情報および必要に応じて詳細情報へのアクセス情報を抽出する手段と、
前記抽出した１次情報およびアクセス情報を媒体に書き込む手段と、
利用者が前記媒体を持参して必要に応じて当該媒体から前記１次情報を読み出して表示および更にアクセス情報を読み出して該当詳細情報を参照する手段と
を備えたことを特徴とする情報提供装置。
【００６５】
【発明の効果】
以上説明したように、本発明によれば、利用者９が移動しようとする際に、移動先と現在時刻から算出した到着予測時間に関連する１次情報および詳細情報へのアクセス情報を取り出して媒体４に記録し、利用者は必要に応じて媒体４から１次情報を参照したり、更にアクセス情報をもとに詳細情報を参照したりする構成を採用しているため、移動先の情報を効率的に提供を受けることが可能となる。これにより、情報提供者からの情報について、移動先、到着予測時間、更に、付加情報に合致する１次情報を媒体４に記録すると共に更に、媒体４に記録できないような詳細情報へのアクセス情報を媒体４に記録しておき、媒体４から適切な移動先の到着予測時間、付加条件に合致した情報を読み出して提示したり、更に、アクセス情報をもとに詳細情報を取得して提示したり、効率的な情報提供を行うことが可能となる。
【図面の簡単な説明】
【図１】本発明のシステム構成図である。
【図２】本発明の動作説明フローチャートである。
【図３】本発明の移動先／到着予測時間テーブル例である。
【図４】本発明の１次情報ＤＢ例である。
【図５】本発明の１実施例構成図である。
【符号の説明】
１：発券機
１１：到着予測時間算出手段
１２：経路情報取得手段
１３：情報取得手段
２：１次情報ＤＢ
２１：情報提供システム
２２：１次情報ＤＢシステム
２３：登録処理
２４：到着予測時間算出／１次情報取得プロセス
２５：所得処理
２６：媒体記録システム
２７：自動発券機／自動改札機
３：２次（詳細）情報ＤＢ
３１：２次情報登録処理
４：媒体
５：情報表示端末
５１：詳細情報取得手段
５２：表示装置
６，７：ネットワーク
８：電波メディア等
９：利用者
【図１】
2004110737.tif 000003
【図２】
2004110737.tif 000004
【図３】
2004110737.tif 000005
【図４】
2004110737.tif 000006
【図５】
2004110737.tif 000007